(57)【要約】【課題】作業性のよい、床部の横架材への設置方法を提供する。【解決手段】複数の横架材１に床部２が架設される床構造における、床部２の横架材１への設置方法である。横架材１の床部２が載置される上面に、複数のボルト３が立設され、床部２のボルト３に対応する位置にボルト３が挿通可能な上下に貫通する孔または切欠からなる挿通部２１が形成される。床部２が、横架材１の上面に、ボルト３が挿通部２１に挿通されて挿通部２１の上端より上方に突出する状態で載置され、床部２の上面側から、ナット部材４をボルト３に螺合させて締結する。【選択図】図１
2014148786.tif 000002
【特許請求の範囲】
【請求項１】
複数の横架材に床部が架設されてなる床構造における、前記床部の前記横架材への設置方法であって、
前記横架材の前記床部が載置される上面に、複数のボルトが立設され、
前記床部の前記ボルトに対応する位置に前記ボルトが挿通可能な上下に貫通する孔または切欠からなる挿通部が形成され、
前記床部が、前記横架材の前記上面に、前記ボルトが前記挿通部に挿通されて前記挿通部の上端より上方に突出する状態で載置され、
前記床部の前記上面側から、ナット部材を前記ボルトに螺合させて締結することを特徴とする床部の横架材への設置方法。
【請求項２】
前記床部の上面の前記挿通部の周囲に、前記ナット部材が収容可能な凹段部が形成されていることを特徴とする請求項１記載の床部の横架材への設置方法。
【発明の詳細な説明】
【技術分野】
【０００１】
本発明は、床部の横架材への設置方法に関するものである。
【背景技術】
【０００２】
従来から、床部が複数の横架材に架設されて固定される床構造が知られている（例えば特許文献１、特許文献２参照）。この床構造にあっては、床部が横架材に架設され、床部の下面側に固定部材が設けられ、この固定部材と床部とで横架材を挟持することで、床部が横架材に固定されるものであった。
【先行技術文献】
【特許文献】
【０００３】
【特許文献１】特開２００３−２６８９０８号公報
【特許文献２】特開２００４−３５３２９１号公報
【発明の概要】
【発明が解決しようとする課題】
【０００４】
しかしながら、この従来の床構造にあっては、床部を横架材の所定の載置箇所に載置する作業は、作業者による目視等の位置合わせに頼ることになり、載置作業の作業性が悪いものであった。また、床部を横架材に固定する作業は、作業者が床部の下面側で行う必要があり、一階の床部の場合には床部と基礎との間に潜り込んで、暗い空間で不自然な姿勢で作業を行うことになり、また、上階の床部の場合には、その下の階の床部に脚立等を立てて作業を行うことになり、固定作業の作業性が悪いものであった。
【０００５】
本発明は、上記の従来例の問題点に鑑みて発明したもので、作業性のよい、床部の横架材への設置方法を提供するにある。
【課題を解決するための手段】
【０００６】
上記課題を解決するために、本発明は、以下のような構成とする。
【０００７】
複数の横架材に床部が架設されてなる床構造における、前記床部の前記横架材への設置方法であって、前記横架材の前記床部が載置される上面に、複数のボルトが立設され、前記床部の前記ボルトに対応する位置に前記ボルトが挿通可能な上下に貫通する孔または切欠からなる挿通部が形成され、前記床部が、前記横架材の前記上面に、前記ボルトが前記挿通部に挿通されて前記挿通部の上端より上方に突出する状態で載置され、前記床部の前記上面側から、ナット部材を前記ボルトに螺合させて締結することを特徴とする。
【０００８】
また、前記床部の上面の前記挿通部の周囲に、前記ナット部材が収容可能な凹段部が形成されていることが好ましい。
【発明の効果】
【０００９】
本発明の床部の横架材への設置方法にあっては、床部の横架材への載置に先立ってボルトが横架材に立設されているため、ボルトによる位置決めが行われて載置作業の作業性が向上し、また、床部の上方に突出するボルトにナット部材を締結することで固定作業を行うため、固定作業が床部の上で行えてその作業性が向上するものである。
【図面の簡単な説明】
【００１０】
【図１】本発明の設置方法の一実施形態を説明するための要部分解斜視図である。
【図２】同上における要部を示し、（ａ）は平面図であり、（ｂ）は縦断面図である。
【発明を実施するための形態】
【００１１】
以下、本発明を図１、２に示す実施形態に基いて説明する。本発明の対象となる床構造は、横架材１に床部２が架設されてなるものである。
【００１２】
横架材１は、床梁や桁、大引等の構造材であるが、前記のような種別は限定されない。本実施形態では、図に示すように、上フランジ１１、ウェブ、下フランジを有する、Ｈ型鋼からなる床梁により横架材１が構成されているが、Ｉ型鋼や他の型鋼、他の金属で形成されるものでもよい。
【００１３】
床部２は、間隔をあけて配置された横架材１に架設され、この横架材１により支持されるものである。本実施形態では、床部２は、ＡＬＣ床パネルで主体が構成されるもので、ＡＬＣ床パネル上に更にパーティクルボードが載置固定されてもよい。また、これらに積層するように適宜防湿シートや捨貼合板が設けられてもよい。なお、床部２はＡＬＣ床パネルに限定されない。
【００１４】
本実施形態では、少なくとも二本の床梁となる横架材１が、水平方向に間隔をあけて略平行で且つその上フランジ１１の上面が同レベルとなるように配置され、この上フランジ１１の上面に床部２が載置されて固定される。
【００１５】
床部２は、本実施形態では、図に示すように、ボルト３およびナット部材４と、更に、ボルト３を横架材１に固定するためのナット部材５で構成される床部固定具により、横架材１に固定される。横架材１の床部２が載置される上面には、複数のボルト３が立設される。本実施形態では、上フランジ１１に、その長手方向に所定の間隔をあけて複数のボルト挿通孔１２が穿設される。そして、上フランジ１１のボルト挿通孔１２に、下側よりボルト３の軸部３１が挿通され、上フランジ１１の上側よりナット部材５がボルト３の軸部３１に螺合されて締結され、ボルト３の頭部３２とナット部材５とで上フランジ１１を挟持する。これにより、ボルト３が上フランジ１１上に立設される。なお、本実施形態では、ナット部材５は、中央部に雌ねじが形成された略矩形状や正方形状をしたねじプレートであるが、通常のナットでもよい。
【００１６】
床部２には、横架材１に載置された時にボルト３に対応する位置に、該ボルト３が挿通可能となる挿通部２１が形成される。挿通部２１は、上下に貫通する孔または切欠で構成されるものである。
【００１７】
本実施形態の挿通部２１は、床部２の側端面に形成され、上下に貫通し且つ外側方に開口する切欠で構成されている。この挿通部２１となる切欠は、床部２の側端面から床部２の内部側に向けて長い溝形状をしており、その溝幅は、ボルト３の軸部３１の径より長く、ナット部材４の外径より短く形成されている。挿通部２１の奥面は、平面視において半円状に形成されている。ナット部材４は、本実施形態ではナット４１およびワッシャ４２からなり、挿通部２１の溝幅は、ワッシャ４２の外径よりも短く形成されるものである。これにより、挿通部２１は、ボルト３の軸部３１が挿通可能でナット部材４（ワッシャ４２）が挿通不可となる。なお、ワッシャ４２は任意の構成であり、所謂ワッシャの代わりに他の部材が用いられてもよいし、ワッシャ４２等がなくナット４１やその他の雌ねじを有する部材のみでナット部材４が構成されてもよい。
【００１８】
更に本実施形態では、床部２の上面の挿通部２１の周囲に、ナット部材４が収容可能で、底面がナット４１の締結面となる凹段部２２が形成されている。凹段部２２は、最短幅が、ナット部材４（ワッシャ４２）の外径よりも長く、深さが、ナット４１およびワッシャ４２の厚みを合わせた長さよりも短く形成されている。また、床部２の下面の挿通部２１の周囲に、ナット部材５が収容可能な凹段部２３が形成されている。
【００１９】
床部２の横架材１への固定は、以下のように行われる。
【００２０】
まず、床部２が載置される横架材１および該横架材１を支持する柱等により、建物の骨組が組み上げられた状態で、横架材１に上記のように複数のボルト３が立設される。これにあたり、建物の骨組が組み上げられた後で横架材１にボルト３が立設されてもよいし、横架材１にボルト３が立設された状態で、この横架材１が組み上げられてもよい。
【００２１】
次に、ボルト３が立設された横架材１に、床部２が載置される。床部２は、通常はクレーンで吊り下げられて、載置される位置の上方に移動されて下降され、横架材１上に載置される。なお、床部２の移動には、クレーンを用いずに、作業者の人力により行ってもよく、特に限定されない。
【００２２】
床部２の挿通部２１にそれぞれ対応するボルト３が位置するように、作業者が床部２の水平方向の位置を人力等により移動させて調整しながら、床部２を下降させる。そして、各挿通部２１に対応するボルト３をそれぞれ挿入させ、各ボルト３の上端部が、挿通部２１の上端より上方に突出し且つ床部２の上面よりも下方に位置する状態（すなわち凹段部２２内に位置する状態）で、床部２が横架材１上に載置される。
【００２３】
そして、床部２の上面に作業者が乗り、作業者が床部２の上面側から、各挿通部２１に挿通されたボルト３にナット部材４を締結していくものである。
【００２４】
本発明の床部２の横架材１への設置方法にあっては、床部２の横架材１への載置に先立ってボルト３が横架材１に立設されていて、このボルト３に床部２の挿通部２１が挿通される。このため、ボルト３により床部２の横架材１への載置の際の位置決めが行われることとなり、載置作業の作業性が向上する。すなわち、ボルト３による位置決めが行われない場合、作業者は、床部２を横架材１の所定の載置箇所と思われる箇所に仮載置する。そして、通常は所定の箇所から幾分かずれるため、そのずれをなくすべく、床部２を水平方向へ移動させてずれをなくしていく。横架材１に仮載置された床部２を水平方向へ移動させるには、クレーン等により床部２を持ち上げて、水平方向へ移動させなければならず、位置決め作業は面倒で時間のかかるものであった。本発明においては、このように床部２を横架材１へ仮載置した後の位置決め作業が不要となり、載置作業における作業性が向上するものである。
【００２５】
また本発明においては、横架材１上に載置された床部２の横架材１への固定作業の作業性も向上する。すなわち、横架材１上に載置された床部２の各挿通部２１には、その上端より上方にボルト３が突出している。そして、作業者は、ボルト３の上端部よりナット部材４を螺合させて締結することで、床部２を横架材１へ固定する。作業者は、床部２の上面に乗って、一挿通部２１においてナット部材４とボルト３の締結作業を行い、これが終わると、床部２上を移動して次の挿通部２１まで行き、ナット部材４とボルト３の締結作業を行い、これを繰り返せばよい。このため、作業者の移動や締結作業を行うための作業（従来のように床部２の下側に潜り込んだり、脚立を立てたりする作業等）が不要となり、固定作業の作業性が向上するものである。
【符号の説明】
【００２６】
１    横架材
１１  上フランジ
１２  ボルト挿通孔
２    床部
２１  挿通部
２２  凹段部
２３  凹段部
３    ボルト
３１  軸部
３２  頭部
４    ナット部材
４１  ナット
４２  ワッシャ
５    ナット部材
【図１】
2014148786.tif 000003
【図２】
2014148786.tif 000004